(57)【要約】【課題】  解体のための操作が容易であり、解体を迅速に行うことができる紙箱を提供する。【解決手段】  前後側板の重合片の両端部を、左右側板の重合片の両端部で押圧させることにより、箱形態が保持される紙箱において、各前後側板の重合片に、その先端辺部から内側板の下辺部に向けて、複数の把持部形成用切目４１を幅方向に間隔を確保して形成し、前記把持部形成用切目４１に挟まれた部分を把持部２５とする。解体の際、前後側板の上辺部を紙箱の外方向に押し広げるようにすれば、把持部２５が引き起こされ、把持部２５を引き上げることにより、前後側板の重合片の押圧が解除されて解体が可能となる。【選択図】図２
2008127081.tif 000002
【特許請求の範囲】
【請求項１】
方形の底板の対向する前後辺にそれぞれ内側板と外側板とからなる前後側板が連設され、前記底板の対向する左右辺にそれぞれ内側板と外側板とからなる左右側板が連設され、前記各内側板の下辺部に重合片が連設されるとともに、前記左右側板の内側板の両側辺部に差込フラップが連設されており、前記底板に対して前後側板と左右側板とを立設させ、前記差込フラップを前記前後側板の内側板と外側板との間で挟持させるとともに、前後側板の重合片の両端部を、左右側板の重合片の両端部又は左右側板の下辺部のいずれか又は両方で押圧させることにより、箱形態が保持される紙箱であって、
各前後側板の重合片に、その先端辺部から内側板の下辺部に向けて、複数の把持部形成用切目が幅方向に間隔を確保して形成され、前記把持部形成用切目に挟まれた部分を把持部としたことを特徴とする紙箱。
【請求項２】
各前後側板の内側板に、上辺部付近から、把持部形成用切目の端部付近に向けて、内側板屈曲用折目線が形成されていることを特徴とする請求項１に記載の紙箱。
【請求項３】
各前後側板の外側板における、内側板屈曲用折目線に略対応した位置に、外側板屈曲用折目線を形成したことを特徴とする請求項２に記載の紙箱。
【請求項４】
各前後側板の内側板に、内側板の上辺部の両端部付近から把持部形成用切目の端部付近に向けて、端部屈曲用折目線が形成されていることを特徴とする請求項１から３のいずれか１項に記載の紙箱。
【請求項５】
前後側板の重合片の先端辺部において、把持部形成用切目に隣接する端部付近を滑らかな円弧状に形成したことを特徴とする請求項１から４のいずれか１項に記載の紙箱。
【請求項６】
左右側板の内側板の両側辺部と差込フラップとの間に介在する折目線上に破断用切目と破断用連結部とが交互に複数配列されていることを特徴とする請求項１から５のいずれか１項に記載の紙箱。
【発明の詳細な説明】
【技術分野】
【０００１】
本発明は、紙箱に関し、より詳細には、解体を容易に行うことのできる紙箱に関する。
【背景技術】
【０００２】
従来、各側板が内側板と外側板とで２重に構成された紙箱１１１として、図１６に示すように、方形の底板１１２の対向する前後辺にそれぞれ内側板１２２と外側板１２１とからなる前後側板１１３が連設され、前記底板１１２の対向する左右辺にそれぞれ内側板１３２と外側板１３１とからなる左右側板１１４が連設され、前記各内側板１２２、１３２の下辺部に重合片１２４、１３４が連設されるとともに、前記左右側板１１４の内側板１３２の両側辺部に差込フラップ（図示せず）が連設されており、前記底板１１２に対して前後側板１１３と左右側板１１４とを立設させ、前記差込フラップを前後側板１１３の内側板１２２と外側板１２１との間で挟持させるとともに、前後側板１１３の重合片１２４の両端部が、左右側板１１４の重合片１３４の両端部で押圧されることにより、箱形態が保持される紙箱１１１が一般的に知られている。
【０００３】
このような紙箱１１１を解体する場合には、前後側板１１３の重合片１２４の先端辺部を手指で引っ掛けて上方に引き上げるように湾曲させながら、両端部を左右側板１１４の重合片１３４の両端部から引き抜くことにより、重合片１２４への押圧を解除させる操作が必要である。
【０００４】
しかしながら、前後側板１１３の重合片１２４は、両端部が左右側板１１４の重合片１３４によって押圧されていることから、底板１１２に押し付けられた状態となっている。このため、前後側板１１３の重合片１２４の先端辺部は手指に引っ掛かり難く、手指に引っ掛けて上方に引き上げる操作は困難であり、紙箱１１１の解体は容易ではなかった。
【０００５】
そこで従来、重合片の押圧の解除操作を容易にすることを目的として、前後側板の内側板の両端下辺部に、対応する左右両側板の重合片の幅よりも短い切欠部を設けるとともに、幅方向中央下端部に手指挿入孔を設けた紙箱が開発されている（例えば、特許文献１参照。）。特許文献１に記載の紙箱は、解体の際に、指挿入孔に手指を挿入して前後側板の内側板を掴みやすくし、手指で内側板を上方に引き上げて内側板を撓ませることにより、前後側板の重合片の端部を左右両側板の重合片の端部から引き上げようというものである。
【０００６】
前記従来の紙箱によれば、手指挿入孔に手指の先端を引っ掛け、手指挿入孔を紙箱の中心方向かつ上方に向けて引き上げるようにすると、それにつれて前後側板の内側板が撓むこととなり、前後側板の重合片の端部が左右両側板の重合片の端部から引き抜かれる。
【特許文献１】特開２００１−３０１７４３号公報
【発明の開示】
【発明が解決しようとする課題】
【０００７】
しかしながら、前記従来の紙箱の手指挿入孔は、前後側板の内側板の下端部に設けられているため、手指の先端を引っ掛けにくく、操作が困難であった。また、手指の先端を手指挿入孔に引っ掛けて行う操作は力が入りにくく、例えば力の弱い者にとっては難しい操作であり、紙箱の解体は困難であった。
【０００８】
本発明は前記課題に鑑みてなされたものであって、解体のための操作が容易であり、解体を迅速に行うことができる紙箱を提供することを課題とする。
【課題を解決するための手段】
【０００９】
本発明の解決しようとする課題は以上の如くであり、次にこの課題を解決するための手段を説明する。
【００１０】
即ち、請求項１に記載の発明では、方形の底板の対向する前後辺にそれぞれ内側板と外側板とからなる前後側板が連設され、前記底板の対向する左右辺にそれぞれ内側板と外側板とからなる左右側板が連設され、前記各内側板の下辺部に重合片が連設されるとともに、前記左右側板の内側板の両側辺部に差込フラップが連設されており、前記底板に対して前後側板と左右側板とを立設させ、前記差込フラップを前記前後側板の内側板と外側板との間で挟持させるとともに、前後側板の重合片の両端部を、左右側板の重合片の両端部又は左右側板の下辺部のいずれか又は両方で押圧させることにより、箱形態が保持される紙箱であって、
各前後側板の重合片に、その先端辺部から内側板の下辺部に向けて、複数の把持部形成用切目が幅方向に間隔を確保して形成され、前記把持部形成用切目に挟まれた部分を把持部とした紙箱とする。
【００１１】
請求項２に記載の発明では、請求項１において、各前後側板の内側板に、上辺部付近から、把持部形成用切目の端部付近に向けて、内側板屈曲用折目線が形成される。
【００１２】
請求項３に記載の発明では、請求項２において、各前後側板の外側板における、内側板屈曲用折目線に略対応した位置に、外側板屈曲用折目線を形成する。
【００１３】
請求項４に記載の発明では、請求項１から３のいずれか１項に記載の発明において、各前後側板の内側板に、内側板の上辺部の両端部付近から把持部形成用切目の端部付近に向けて、端部屈曲用折目線が形成される。
【００１４】
請求項５に記載の発明では、請求項１から４のいずれか１項に記載の発明において、前後側板の重合片の先端辺部において、把持部形成用切目に隣接する端部付近を滑らかな円弧状に形成する。
【００１５】
請求項６に記載の発明では、請求項１から５のいずれか１項に記載の発明において、左右側板の内側板の両側辺部と差込フラップとの間に介在する折目線上に破断用切目と破断用連結部とが交互に複数配列される。
【発明の効果】
【００１６】
本発明の効果として、以下に示すような効果を奏する。
【００１７】
請求項１に記載の発明によれば、前後側板の重合片に、その先端辺部から内側板の下辺部に向けて、複数の把持部形成用切目が幅方向に間隔を確保して形成され、前記把持部形成用切目に挟まれた部分が把持部とされている。このため、紙箱を解体する場合には、前後側板の上辺部を紙箱の外方向に押し広げるようにすれば、これに連動して、把持部の先端辺部が上方に引き起こされてくる。把持部を紙箱の中心方向かつ上方に向けて引き上げるようにすると、前後側板の重合片の両端部が屈曲していき、左右側板による押圧部分から徐々に引き抜かれ、最終的に完全に引き抜かれて、押圧が解除される。よって、紙箱を解体する場合には、前後側板の上辺部を紙箱の外方向に押し広げるようにすれば、把持部が引き起こされ、把持部を引き上げることにより、前後側板の重合片の両端部の押圧が解除される。このため、紙箱の解体のための操作が容易であり、紙箱の解体を迅速に行うことができる。
【００１８】
請求項２に記載の紙箱によれば、各前後側板の内側板に、上辺部から、把持部形成用切目の端部付近に向けて、内側板屈曲用折目線が形成されている。このため、紙箱を解体する場合に、前後側板の上辺部を紙箱の外方向に押し広げると、前後側板の内側板は前記内側板屈曲用折目線に沿って容易に屈曲し、これに連動して、把持部の先端辺部を大きく上方に引き起こすことができる。よって、把持部は把持しやすい状態となり、引き上げ操作が容易である。また、把持部の先端辺部が大きく上方に引き起こされることにより、手指で把持する部分が分かりやすく、紙箱の解体のための操作が分かりやすい。
【００１９】
請求項３に記載の紙箱によれば、内側板屈曲用折目線に加えて、各前後側板の外側板における、前記内側板屈曲用折目線に略対応した位置に、外側板屈曲用折目線が形成されている。紙箱を解体する場合に、前後側板の上辺部を紙箱の外方向に押し広げるようにすれば、前後側板の内側板は前記内側板屈曲用折目線に沿って容易に屈曲し、前後側板の外側板は前記外側板屈曲用折目線に沿って容易に屈曲する。このため、前後側板を紙箱の外方向に押し広げる操作を軽い操作力で行うことができ、紙箱の解体のための操作が容易である。
【００２０】
請求項４に記載の発明によれば、各前後側板の内側板に、内側板の上辺部の両端部付近から把持部形成用切目の端部付近に向けて、端部屈曲用折目線が形成されている。このため、内側板は端部屈曲用折目線に沿って屈曲しやすく、内側板の両端部は前記端部屈曲用折目線に沿って紙箱の外方向に向けて屈曲して傾斜しやすくなっている。従って、把持部を引き上げていくと、前後側板の重合片の両端部は、紙箱の外方向に向けて傾斜しやすく、左右側板の重合片の両端部又は左右側板の下辺部の押圧部分から容易に引き抜かれて、押圧が解除される。よって、紙箱の解体を容易かつ迅速に行うことができる。
【００２１】
請求項５に記載の発明によれば、前後側板の重合片の先端辺部において、把持部形成用切目に隣接する端部付近を滑らかな円弧状に形成している。従って、紙箱の解体のために把持部を操作する場合、把持部の両端部等が滑らかな円弧状に形成されていることにより、手指に優しく、手指の傷つきを防止し、紙箱の解体の際の安全性を高めることができる。
【００２２】
請求項６に記載の発明によれば、左右側板の内側板の両側辺部と差込フラップとの間に介在する折目線上に破断用切目と破断用連結部とが交互に複数配列されている。このため、紙箱を解体する場合に、前記左右側板の上辺部を紙箱の外方向に押し広げるようにすれば、前記破断用連結部を破断する力が作用して、左右側板の内側板の両側辺部と差込フラップとを破断させることができるため、左右側板からでも紙箱の解体作業を開始することができる。
【発明を実施するための最良の形態】
【００２３】
次に、発明の実施の形態について図を用いて説明する。
【実施例１】
【００２４】
本発明の実施例１に係る紙箱について、図１から図５を用いて説明する。
【００２５】
実施例１に係る紙箱は、図１に示す紙箱展開形成体を組み立てて形成されるものであり、かぶせ蓋を被せて使用する身箱として使用されるものである。紙箱は、板紙、段ボールなどの厚紙で形成されている。紙箱展開形成体の底板１２は方形の平板部であり、本実施例では底板１２を長方形とするが、底板１２は正方形であってもよい。以下では説明のために底板１２の短辺を前後辺とし、底板１２の長辺を左右辺とする。また、上下方向は、紙箱１１を組み立てて、底板１２を下にして載置した場合に、底板１２側を下方とし、開口部側を上方とする。
【００２６】
まず、前記底板１２の前後辺には、それぞれ第１内側板２２と第１外側板２１とからなる前後側板１３が連設されている。底板１２の各前後辺には折目線５１を介して第１外側板２１が連設され、前記第１外側板２１に連続して、折目線５２を介して第１上板部２３が連設され、前記第１上板部２３に連続して、折目線５３を介して第１内側板２２が連設される。第１内側板２２に連続して、第１内側板２２の下辺部には、折目線５４を介して第１重合片２４が連設される。尚、前記第１内側板２２の下辺部とは、紙箱１１を組み立てた状態において、前後側板１３の内壁の下辺となる部分をいうものとする。
【００２７】
前記底板１２の左右辺には、それぞれ第２内側板３２と第２外側板３１とからなる左右側板１４が連設される。底板１２の各左右辺には折目線６１を介して第２外側板３１が連設され、前記第２外側板３１に連続して、折目線６２を介して第２上板部３３が連設され、前記第２上板部３３に連続して、折目線６３を介して第２内側板３２が連設される。第２内側板３２に連続して、第２内側板３２の下辺部には、折目線６４を介して第２重合片３４が連設される。尚、前記第２内側板３２の下辺部とは、紙箱１１を組み立てた状態において、左右側板１４の内壁の下辺となる部分をいうものとする。また、前記各第２内側板３２の両側辺部には、それぞれ折目線６５を介して差込フラップ３５が連設される。
【００２８】
前記第１外側板２１の側辺部と、これに隣接する前記第２外側板３１の側辺部とは、それぞれ折目線５５、６６を介して連結用フラップ３６で連結されている。前記連結用フラップ３６には、対角線方向に折目線６７が形成されており、第１外側板２１と第２外側板３１を底板１２に対して立設させた際には、連結用フラップ３６が半分に折り畳まれるように形成されている。
【００２９】
次に、第１重合片２４に形成される把持部形成用切目４１と、これによって形成される把持部２５について説明する。前記把持部形成用切目４１は、第１重合片２４の先端辺部から、第１内側板２２の下辺部に向けて、間隔を確保して複数形成されるものである。本実施例では、把持部形成用切目４１は、各第１重合片２４にそれぞれ２本形成されており、第１重合片２４の先端辺部側の自由端から、第１内側板２２と第１重合片２４の接続部である折目線５４まで到達するように形成されている。各把持部形成用切目４１が形成される位置は、第１重合片２４の幅方向中央部に対して略対称位置であり、２本の把持部形成用切目４１は第１重合片２４の幅方向に相互に間隔を確保して形成されているが、第１重合片２４の先端辺部側では相互の間隔が狭く、第１内側板２２の折目線５４に向かうに従って相互の間隔が広くなるように形成されており、２本の把持部形成用切目４１は略ハ字状となるように形成されている。
【００３０】
また、前記把持部形成用切目４１によって挟まれた部分は把持部２５とされ、紙箱１１を解体する場合に把持して操作する部分となる。このため、把持部２５は手指で把持できる程度の幅を確保できるように、前記把持部形成用切目４１の間隔を設定するものとする。また、前記２本の把持部形成用切目４１が略ハ字状となるように形成されているため、把持部２５は自由端側を狭くした台形状に形成されている。尚、本実施例では、把持部形成用切目４１を２本づつ形成して、把持部２５を１箇所づつ形成したが、これに限定されず、各第１重合片２４につき把持部形成用切目４１を３本以上形成して把持部２５を２箇所以上形成するようにしてもよい。また、把持部２５は台形状としたが、これに限定されず、長方形や他の形状となるようにしてもよい。
【００３１】
次に、上記紙箱展開形成体によって紙箱１１を組み立てる場合について説明する。図２に示すように、各前後側板１３と各左右側板１４は、各折目線で折り曲げて、それぞれ底板１２に対して立設させるものとする。第１外側板２１と第２外側板３１は紙箱１１の外壁となり、第１上板部２３と第２上板部３３は紙箱１１の上壁となり、第１内側板２２と第２内側板３２は紙箱１１の内壁となる。このとき前記差込フラップ３５と前記連結用フラップ３６は前後側板１３の第１外側板２１と第１内側板２２との間に挟持させるようにする。そして、第１重合片２４と第２重合片３４を底板１２に沿わせるように折り曲げるとともに、第１重合片２４の両端部を、第２重合片３４の両端部で押圧させることにより、紙箱１１の箱形態を保持するように組み立てを行う。
【００３２】
次に、上記のように組み立てられた紙箱１１を解体する場合の手順について説明する。尚、以下の手順は一例であって、下記の手順に限定されるものではない。まず、一方の手で紙箱１１を保持する。その状態で、図３に示すように、他方の手の親指などでいずれかの前後側板１３の上辺部を紙箱１１の外方向に押し広げるようにする。これにより、押し広げられた前後側板１３の第１内側板２２が紙箱１１の外方向に傾斜する。これに連動して、把持部２５も傾斜して、把持部２５の先端辺部が上方に引き起こされてくる。このとき、第１重合片２４の両端部は、把持部２５とは把持部形成用切目４１で分割されているため、把持部２５に引っ張られることなく、略そのままの状態を保っている。
【００３３】
図３に示すように、前記把持部２５の先端辺部が上方に引き起こされると手指で把持しやすくなるため、この把持部２５を例えば親指と人差し指とで把持し、図４に示すように、把持部２５を紙箱１１の中心方向かつ上方に向けて引き上げるようにする。把持部２５を引き上げると、それにつれて前後側板１３の第１内側板２２は紙箱１１の中心方向に膨らむように撓み、第１重合片２４は上方に引き上げられる。このとき、第１重合片２４の両端部は、左右側板１４の第２重合片３４の両端部によって押圧されていることから、第１重合片２４の両端部は、紙箱１１の外方向に向けて傾斜するように屈曲していく。把持部２５を更に引き上げていくと、第１重合片２４の両端部は、更に屈曲していき、第２重合片３４の両端部の下から徐々に引き抜かれ、最終的に図５に示すように、第２重合片３４の両端部から完全に引き抜かれて、押圧が解除される。続いて、他方の前後側板１３についても同様の操作を行うことにより、箱形態を保持している左右側板１４の第１重合片２４の押圧が両方とも解除されるため、紙箱１１を解体することができる。
【００３４】
以上説明した実施例１に係る紙箱１１によれば、紙箱１１を解体する場合には、前後側板１３の上辺部を紙箱１１の外方向に押し広げるようにすれば、把持部２５が引き起こされ、把持部２５を引き上げることにより、前後側板１３の第１重合片２４の押圧が解除される。このため、紙箱１１の解体のための操作が容易であり、紙箱１１の解体を迅速に行うことができる。
【実施例２】
【００３５】
次に、本発明の実施例２に係る紙箱１１について図６、図７を用いて説明する。実施例２では、前後側板１３に内側板屈曲用折目線４２が形成されている点が実施例１と大きく異なっている。実施例１と同一部分の詳しい説明は省略する。
【００３６】
実施例２に係る紙箱１１は、図６に示す紙箱展開形成体を組み立てて形成されるものである。図６に示すように、内側板屈曲用折目線４２は各前後側板１３の第１内側板２２に、上辺部から把持部形成用切目４１の端部付近に向けて形成されるものである。本実施例では、内側板屈曲用折目線４２は、いわゆるミシン目であり、第１内側板２２と第１重合片２４との折目線５４から、第１内側板２２と第１上板部２３との折目線５３まで到達するように形成されている。また、内側板屈曲用折目線４２は、把持部形成用切目４１の端部付近から、第１内側板２２の上辺部に向かうに従って相互の間隔を広くしており、略ハ字状となるように形成されている。尚、内側板屈曲用折目線４２は、第１内側板２２の上辺部では手指の幅程度の間隔を確保しており、前後側板１３の上辺部に手指を掛けた際に、内側板屈曲用折目線４２が手指の側方にくるようにしている。
【００３７】
上記紙箱展開形成体による紙箱１１の組み立ての手順については、実施例１と同様であり、詳しい説明は省略する。次に、組み立てられた紙箱１１を解体する場合の手順について説明する。
【００３８】
まず、実施例１の場合と同様に、一方の手で紙箱１１を保持し、その状態で、図７に示すように、他方の手の親指などでいずれかの前後側板１３の上辺部を紙箱１１の外方向に押し広げるようにする。このとき、実施例２の紙箱１１には、内側板屈曲用折目線４２が形成されているため、前後側板１３の第１内側板２２は前記内側板屈曲用折目線４２に沿って容易に屈曲し、内側板屈曲用折目線４２によって挟まれた部分が大きく紙箱１１の外方向に傾斜する。尚、内側板屈曲用折目線４２は、第１内側板２２の上辺部では手指の幅程度の間隔を確保しているため、内側板屈曲用折目線４２は手指の外側となり、手指が内側板屈曲用折目線４２を妨げることがない。
【００３９】
また、前記内側板屈曲用折目線４２は、把持部形成用切目４１の端部付近に向けて形成されていることから、把持部２５は第１内側板２２のうち内側板屈曲用折目線４２で挟まれた部分に連設されていることとなる。このため、内側板屈曲用折目線４２によって挟まれた部分が大きく紙箱１１の外方向に傾斜すると、把持部２５はこの傾斜した部分に連動して、把持部２５の先端辺部を大きく上方に引き起こすことができる。
【００４０】
前記把持部２５の先端辺部が大きく上方に引き起こされることにより、把持部２５が把持されやすい状態となり、引き上げ操作を容易に行うことができる。また、把持部２５の先端辺部が大きく上方に引き起こされることにより、手指で把持して操作する部分が分かりやすく、紙箱１１の解体のための操作を分かりやすくすることができる。
【実施例３】
【００４１】
次に、本発明の実施例３に係る紙箱１１について図８、図９を用いて説明する。実施例３では、実施例２の内側板屈曲用折目線４２に加えて、各前後側板１３の第１外側板２１に外側板屈曲用折目線４３が形成されている点が、実施例２と大きく異なっている。実施例１、２と同一部分の詳しい説明は省略する。
【００４２】
実施例３に係る紙箱１１は、図８に示す紙箱展開形成体を組み立てて形成されるものである。図９に示すように、外側板屈曲用折目線４３は各前後側板１３の第１外側板２１において、前記内側板屈曲用折目線４２に略対応した位置に形成するものとし、外側板屈曲用折目線４３の形状は、前記内側板屈曲用折目線４２と略同様の形状とする。本実施例では、外側板屈曲用折目線４３は、いわゆるミシン目であり、図８に示すように、外側板屈曲用折目線４３は、底板１２と第１外側板２１との折目線５１から、第１外側板２１と第１上板部２３との折目線５２まで到達するように形成されている。また、外側板屈曲用折目線４３は、前記内側板屈曲用折目線４２と同様の略ハ字状となるように形成されている。
【００４３】
実施例３に係る紙箱１１によれば、紙箱１１を解体する場合に、前後側板１３の上辺部を紙箱１１の外方向に押し広げるようにすれば、第１内側板２２は前述のように内側板屈曲用折目線４２に沿って容易に屈曲し、これに加えて、第１外側板２１は前記外側板屈曲用折目線４３に沿って容易に屈曲するため、前後側板１３が容易に屈曲する。従って、前後側板１３を紙箱１１の外方向に押し広げる操作を軽い操作力で行うことができ、紙箱１１の解体のための操作を容易に行うことができる。
【実施例４】
【００４４】
次に、本発明の実施例４に係る紙箱１１について図１０、図１１を用いて説明する。実施例４では、各前後側板１３の第１内側板２２に端部屈曲用折目線４４が形成されている点が実施例２と大きく異なっている。実施例２と同一部分の詳しい説明は省略する。
【００４５】
実施例４に係る紙箱１１は、図１０に示す紙箱展開形成体を組み立てて形成されるものである。端部屈曲用折目線４４は、各前後側板１３の第１内側板２２に、第１内側板２２の上辺部の両端部付近から把持部形成用切目４１の端部付近に向けて形成されるものである。本実施例では、端部屈曲用折目線４４は、いわゆるミシン目であり、第１内側板２２の上辺部の両端部から把持部形成用切目４１の端部に到達するように形成されている。端部屈曲用折目線４４が形成されていることにより、第１内側板２２の下辺部に力が作用した場合に、第１内側板２２が屈曲しやすいようにされている。
【００４６】
上記紙箱展開形成体による紙箱１１の組み立ての手順については、実施例１と同様であり、詳しい説明は省略する。次に、組み立てられた紙箱１１を解体する場合の手順について説明する。
【００４７】
まず、実施例１の場合と同様に、一方の手で紙箱１１を保持し、その状態で、他方の手の親指などでいずれかの前後側板１３の上辺部を紙箱１１の外方向に押し広げると、把持部２５の先端辺部が上方に引き起こされてくる（図３参照）。
【００４８】
続いて、図１１に示すように、前記把持部２５を紙箱１１の中心方向かつ上方に向けて引き上げるようにすると、それにつれて前後側板１３の第１内側板２２の中央部は紙箱１１の中心方向に膨らむように撓む。このとき、第１重合片２４の両端部は、左右側板１４の第２重合片３４の両端部によって押圧されており、第１重合片２４の両端部には、紙箱１１の外方向に向けて傾斜させるように力が作用する。一方、第１内側板２２には端部屈曲用折目線４４が形成されているため、第１内側板２２の両端部は、前記端部屈曲用折目線４４に沿って紙箱１１の外方向に向けて屈曲しやすくなっている。このため、把持部２５を引き上げると、第１重合片２４の両端部は、紙箱１１の外方向に向けて容易に傾斜し、簡単に第２重合片３４の両端部から引き抜かれて、押圧が解除される。続いて、他方の前後側板１３についても同様の操作を行うことにより、箱形態を保持している左右側板１４の第１重合片２４の押圧が両方とも解除されるため、紙箱１１の解体を容易かつ迅速に行うことができる。
【００４９】
本発明に係る紙箱１１は上記実施例に限定されず、以下のようにすることもできる。
【００５０】
前記各実施例において、把持部形成用切目４１は完全に切断されている切目としたが、完全に切断されていなくてもよい。把持部形成用切目４１は、紙箱１１を解体する際に、前後側板１３の上辺部を紙箱１１の外方向に押し広げることによって切断され、把持部２５の先端辺部が上方に引き起こされてくるものであればよく、例えば、破断用切目と破断用連結部とを交互に複数配列したもののように一部が切断されていないものでもよい。
【００５１】
図１２に示すように、前後側板１３の第１重合片２４の先端辺部において、把持部形成用切目４１に隣接する把持部２５の両端部２５ａと、第１重合片２４の切断端部２４ａを滑らかな円弧状に形成するようにしてもよい。この場合、紙箱１１の解体のために把持部２５を操作する際、把持部２５の両端部２５ａ等が滑らかな円弧状に形成されているため、手指に優しく、手指の傷つきを防止し、紙箱１１の解体の際の安全性を高めることができる。
【００５２】
図１３に示すように、左右側板１４の第２内側板３２の両側辺部と差込フラップ３５との間に介在する折目線８５上に破断用切目と破断用連結部とを交互に複数配列してもよい。この場合、紙箱１１を解体する際に、前記左右側板１４の上辺部を紙箱１１の外方向に押し広げるようにすれば、前記破断用連結部を破断する力が作用して、左右側板１４の第２内側板３２の両側辺部と差込フラップ３５とを破断させることができるため、左右側板１４からでも紙箱１１の解体作業を開始することができる。
【００５３】
上記各実施例では、第１重合片２４の両端部を第２重合片３４の両端部で押圧させることにより、紙箱１１の箱形態を保持するようにしているが、これに限定されず、第１重合片２４と第２重合片３４とを重ねない構成としてもよい。例えば、図１４に示すように、前後側板１３の第１重合片２４の両端部に突出片２６を形成し、左右側板１４の下辺部に前記突出片２６が差し込まれる差込凹部３７を形成するようにしてもよい。この場合、図１５に示すように、前記突出片２６を前記差込凹部３７で押圧させることにより、箱形態が保持される。このような構成であっても、第１重合片２４の把持部２５を操作することにより、前記突出片２６が前記差込凹部３７から引き抜かれて、押圧が解除され、紙箱１１の解体を容易に行うことができる。
【００５４】
更に前記各実施例では、前後側板１３と左右側板の上部に上壁を設けたが、上壁を設けない紙箱であってもよい。
【００５５】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００５６】
【図１】実施例１に係る紙箱１１の紙箱展開形成体の平面図。
【図２】実施例１に係る紙箱１１の斜視簡略図。
【図３】前後側板１３の上辺部を紙箱１１の外方向に押し広げた状態を示す斜視簡略図。
【図４】把持部２５を紙箱１１の中心方向かつ上方に向けて引き上げる状態を示す斜視簡略図。
【図５】第１重合片２４の両端部が第２重合片３４の両端部から引き抜かれた状態を示す斜視簡略図。
【図６】実施例２に係る紙箱１１の紙箱展開形成体の平面図。
【図７】紙箱１１の前後側板１３の上辺部を紙箱１１の外方向に押し広げた状態を示す斜視簡略図。
【図８】実施例３に係る紙箱１１の紙箱展開形成体の平面図。
【図９】紙箱１１の前後側板１３の上辺部を紙箱１１の外方向に押し広げた状態を示す斜視簡略図。
【図１０】実施例４係る紙箱１１の紙箱展開形成体の平面図。
【図１１】把持部２５を紙箱１１の中心方向かつ上方に向けて引き上げる状態を示す斜視簡略図。
【図１２】本発明の実施例の変形例を示す斜視簡略図。
【図１３】本発明の実施例の変形例を示す紙箱展開形成体の平面図。
【図１４】本発明の実施例の変形例を示す紙箱展開形成体の平面図。
【図１５】本発明の実施例の変形例を示す斜視簡略図。
【図１６】従来の紙箱１１１を示す斜視簡略図。
【符号の説明】
【００５７】
１１    紙箱
１２    底板
１３    前後側板
１４    左右側板
２１    第１外側板
２２    第１内側板
２３    第１上板部
２４    第１重合片
２５    把持部
２６    突出片
３１    第２外側板
３２    第２内側板
３３    第２上板部
３４    第２重合片
３５    差込フラップ
３６    連結用フラップ
３７    差込凹部
４１    把持部形成用切目
４２    内側板屈曲用折目線
４３    外側板屈曲用折目線
４４    端部屈曲用折目線
【図１】
2008127081.tif 000003
【図２】
2008127081.tif 000004
【図３】
2008127081.tif 000005
【図４】
2008127081.tif 000006
【図５】
2008127081.tif 000007
【図６】
2008127081.tif 000008
【図７】
2008127081.tif 000009
【図８】
2008127081.tif 000010
【図９】
2008127081.tif 000011
【図１０】
2008127081.tif 000012
【図１１】
2008127081.tif 000013
【図１２】
2008127081.tif 000014
【図１３】
2008127081.tif 000015
【図１４】
2008127081.tif 000016
【図１５】
2008127081.tif 000017
【図１６】
2008127081.tif 000018